(57)【要約】【課題】容器の形状に対する支持力を強化する紙製容器を提供する。【解決手段】全体が紙材からなると共に、矩形を呈し、矩形の底部と、該底部の周囲から延出する壁部と、それぞれ該壁部の上縁部から外部に延出する４つの縁片と、該各縁片の両端にそれぞれ延設される結合片と、該壁部における４つの角に形成される４つの蓋片とを有する箱体を備え、その内、該各蓋片は、対応する２つの結合片に接着されると共に、該各結合片における縁片の端部から延出する長さが該各蓋片の三分の一よりも長いことがある。【選択図】図１
0003165319.tif 000002
【実用新案登録請求の範囲】
【請求項１】
全体が紙材からなると共に、矩形を呈し、矩形の底部と、該底部の周囲から延出する壁部と、それぞれ該壁部の上縁部から外部に延出する４つの縁片と、該各縁片の両端にそれぞれ延設される結合片と、該壁部における４つの角に形成される４つの蓋片とを有する箱体を備え、
前記各蓋片は、対応する２つの結合片に接着されると共に、該各結合片における縁片の端部から延出する長さが該各蓋片の三分の一よりも長いことを特徴とする紙製容器。
【請求項２】
前記各結合片の、縁片の端部から延出する長さは、前記蓋片の二分の一であることを特徴とする請求項１に記載の紙製容器。
【請求項３】
前記各結合片の、縁片の端部から延出する長さが前記蓋片の二分一よりも長く、また、同じ角に位置する２つの結合片は、端部が互いに重ね合わされるように対応する蓋片に接着されることを特徴とする請求項１又は２に記載の紙製容器。
【考案の詳細な説明】
【技術分野】
【０００１】
本考案は、特に食べ物を収容するための紙製容器に関するものである。
【背景技術】
【０００２】
図６及び図７に示すように、従来の紙製容器は、矩形の底部と、該底部の周囲から上方に向かって延出する壁部７０と、該壁部７０の上部縁部から外側に向かって延出する四つの強化縁部７１と、該各強化縁部７１の両端からそれぞれ延出する接着タブ７１１と、該壁部７０における四つの角にそれぞれ形成されるカバータブ７２とを有する。その内、該各カバータブ７２は、中央から両端にいくにつれて徐々に狭くなると共に、上縁部及び下縁部が弧状である面取りタブ７２１と、該面取りタブ７２１の上縁部から延出する舌タブ７２２と、該舌タブ７２２の両端からそれぞれ延出すると共に、それぞれ対応する接着タブ７１１に接着される２つの結合タブ７２３とを備えるものである。
【考案の概要】
【考案が解決しようとする課題】
【０００３】
しかしながら、従来の紙製容器は、上述したように、角によって容器の形状を支持することはできるが、そのカバータブは、単層の紙材でしか構成されていないことから、容器の形状に対する支持力が不足しでおり、容器に沢山の食べ物を入ると、壁部が押されて変形する恐れがあるので、食べ物が零れ落ちるという問題があった。
【課題を解決するための手段】
【０００４】
本考案に係る紙製容器は、全体が紙材からなると共に、矩形を呈し、矩形の底部と、該底部の周囲から延出する壁部と、それぞれ該壁部の上縁部から外部に延出する４つの縁片と、該各縁片の両端にそれぞれ延設される結合片と、該壁部における４つの角に形成される４つの蓋片とを有する箱体を備え、その内、該各蓋片は、対応する２つの結合片に接着されると共に、該各結合片の長さが該各蓋片の三分の一よりも長く構成されるものである。
【０００５】
前記結合片の、縁片の端部から延出する長さは、前記蓋片の二分の一とすることが好ましい。
【０００６】
前記結合片は、縁片の端部から延出する長さは、前記蓋片の二分一よりも長く、また、同じ角に位置する２つの結合片は、端部が互いに重ね合わされるように、対応する蓋片に接着されてもかまわない。
【考案の効果】
【０００７】
本考案に係る紙製容器は上記の課題を解決するものであり、紙材からなる箱体は、紙製容器の角に形成される蓋片が対応する２つの縁片の結合片に重ね合わされるように接着されることから、二層或いは三層の紙材を重ねて構成される角によって、容器の形状を支持することができる。
【図面の簡単な説明】
【０００８】
【図１】本発明に係る紙製容器の第一実施例を示す斜視図である。
【図２】本発明に係る紙製容器の第一実施例における角の部分拡大展開図である。
【図３】本発明に係る紙製容器の第一実施例における角の部分拡大斜面図である。
【図４】本発明に係る紙製容器の第二実施例における角の部分拡大展開図である。
【図５】本発明に係る紙製容器の第二実施例における角の部分拡大斜面図である。
【図６】従来の紙製容器における角の部分拡大展開図である。
【図７】従来の紙製容器における角の部分拡大斜面図である。
【考案を実施するための形態】
【０００９】
以下、添付図面を参照して本考案の好適な実施の形態を詳細に説明する。  尚、下記実施例は、本考案の好適な実施の形態を示したものにすぎず、本考案の技術的範囲は、下記実施例そのものに何ら限定されるものではない。
【００１０】
図１乃至図３に示すように、本考案の第一実施例に係る紙製容器は、内部に収容空間が形成される矩形の箱体１０を備える。該箱体１０は、紙材からなり、底部１１と、壁部１２と、４つの縁片１３と、４つの蓋片１４とを有するものである。
尚、前記底部１１は、矩形を呈し、底面全域に１つの収容空間が形成され、底面に複数の間隔タブが設置されることによって複数の収容空間が形成されている。
【００１１】
前記壁部１２は、前記底部１１の周囲から上側に延出すると共に、前記４つの縁片１３はそれぞれ、該壁部１２の上縁部から外部に延出している。さらに、該各縁片１３の両端にはそれぞれ、、同一の角に位置するように、同じサイズの結合片１３１が延設されている。また、前記壁部１２における４つの角に形成される４つの蓋片１４はそれぞれ、同一の角にある２つの結合片１３１に接着される。
なお、前記結合片１３１の、縁片１３の端部から延出する長さは、該蓋片１４の二分の一とすると共に、該蓋片１４に接着された２つの結合片１３１は互いに隣接することが好ましい。
【００１２】
図３に示すように、本例における蓋片１４はそれぞれ、対応する２つの縁片１３に重ね合わされるように接着されることから、二層構造となる丈夫な角が形成されるので、紙製容器の形状を強固に支持することができると共に、該各蓋片１４の長さは、その対応する２つの結合片１３１が隣接した長さと同じであるから、紙製容器の角にかかった力を分散すると共に、容器の形状に対する支持効果を高め、さらに、紙製容器は、食べ物やスープなどを入れても、壁部１２が外部に押さて変形することはないので、収容物の零れを防ぐことができる。
【００１３】
図４及び図５に示すように、本考案の第二実施例に係る紙製容器は、その殆どが前記第一実施例と同一であるが、縁片１３における結合片１３１において異なる。
この第二実施例においては、縁片１３の結合片１３１が蓋片１４の二分一よりも長いと共に、同じの角に位置して対応する２つの結合片１３１は、端部が互いに重ね合わされるように接着される。また、その２つの結合片１３１における上側に位置する結合片１３１には、上面が蓋片１４の下面に接着され、蓋片１４の中央に重ね合わされるように、２つの結合片１３１及び蓋片１４からなる三層の構造ができる。
【００１４】
本考案に係る紙製容器は、蓋片１４が対応する縁片１３に接着されることによって、蓋片１４の中央が三層構造を呈することから、該蓋片１４の両側からの縁片１３に対する支持力が強化されるので、容器の形状をしっかりと維持することができる。
【００１５】
本考案に係る紙材からなる箱体は、紙製容器の角に形成される蓋片が対応する２つの縁片の結合片に重ね合わされるように接着されることから、二層或いは三層の紙材を重ねて構成される角によって、容器の形状を支持することができる。
【符号の説明】
【００１６】
１０・・・・・・箱体
１１・・・・・・底部
１２・・・・・・壁部
１３・・・・・・縁片
１３１・・・・・結合片
１４・・・・・・蓋片
７０・・・・・・壁部
７１・・・・・・強化縁部
７１１・・・・・接着タブ
７２・・・・・・カバータブ
７２１・・・・・面取りタブ
７２２・・・・・舌タブ
７２３・・・・・結合タブ
【図１】
0003165319.tif 000003
【図２】
0003165319.tif 000004
【図３】
0003165319.tif 000005
【図４】
0003165319.tif 000006
【図５】
0003165319.tif 000007
【図６】
0003165319.tif 000008
【図７】
0003165319.tif 000009